(57)【要約】【課題】操作性を向上させる。【解決手段】デジタルテレビジョン放送表示装置は、録画又は視聴を予約した予約番組情報と、当該予約番組情報の放送時間と、を対応付けて記憶する予約番組情報記憶部４５３と、放送時間毎に番組情報が示された番組表を表示する表示部４０１と、表示された番組表に示された番組の選択を受け付ける受付部４０２と、選択を受け付けた番組情報と放送時間が近い予約番組情報を、予約番組情報記憶部４５３から特定する特定部４０３と、を備え、表示部４０１は、さらに、特定された予約番組情報が選択された状態で、予約番組情報記憶部４５３に記憶された予約番組情報を一覧表示する。【選択図】図４
2010200157.tif 000002
【特許請求の範囲】
【請求項１】
録画又は視聴を予約した予約番組情報と、当該予約番組情報の放送時間と、を対応付けて記憶する予約記憶手段と、
放送時間毎に番組情報が示された番組表情報を表示する表示手段と、
表示された前記番組表情報に示された番組情報の選択を受け付ける受付手段と、
選択を受け付けた前記番組情報の放送時間と近い前記放送時間と対応付けられた前記予約番組情報を、前記予約記憶手段から特定する特定手段と、を備え、
前記表示手段は、さらに、特定された前記予約番組情報が選択された状態で、前記予約記憶手段に記憶された前記予約番組情報を一覧表示すること、
を特徴とする表示装置。
【請求項２】
前記表示手段は、前記予約番組情報を一覧表示した後、選択されていた前記予約番組情報で録画される番組情報が選択された状態で、前記番組表情報を表示すること、
を特徴とする請求項１に記載の表示装置。
【請求項３】
既に録画された録画番組情報を記憶する録画記憶手段を、さらに備え、
前記表示手段は、前記予約番組情報を一覧表示した後、選択されていた前記予約番組情報に従って録画された前記録画番組情報が選択された状態で、前記録画記憶手段に記憶された前記録画番組情報を一覧表示すること、
を特徴とする請求項１に記載の表示装置。
【請求項４】
前記予約記憶手段は、さらに前記予約番組情報で示された番組情報が、地上波又は衛星放送であることを識別する放送種別を対応付けて記憶し、
前記受付手段は、所定の前記放送種別の前記番組表情報から、前記番組情報の選択を受付、
前記特定手段は、選択を受け付けた前記番組情報の放送時間と近い前記放送時間、及び前記番組表情報の前記放送種別と、対応付けられた前記予約番組情報を、前記予約記憶手段から特定すること、
を特徴とする請求項１乃至３のいずれか一つに記載の表示装置。
【請求項５】
前記表示手段は、前記予約番組情報を、対応付けられた前記放送時間の時系列順に一覧表示すること、
を特徴とする請求項１に記載の表示装置。
【請求項６】
表示装置で実行される表示方法であって、
表示装置は、録画又は視聴を予約した予約番組情報と、当該予約番組情報の放送時間と、を対応付けて記憶する予約記憶手段を備え、
表示手段が、放送時間毎に番組情報が示された番組表情報を表示する表示ステップと、
受付手段が、表示された前記番組表情報に示された番組情報の選択を受け付ける受付ステップと、
特定手段が、選択を受け付けた前記番組情報の放送時間と近い前記放送時間と対応付けられた前記予約番組情報を、前記予約記憶手段から特定する特定ステップと、
前記表示手段が、特定された前記予約番組情報が選択された状態で、前記予約記憶手段に記憶された前記予約番組情報を一覧表示する一覧表示ステップと、
を含むことを特徴とする表示方法。
【発明の詳細な説明】
【技術分野】
【０００１】
本発明は、番組情報を番組表などとして表示する表示装置、及び表示方法に関する。
【背景技術】
【０００２】
近年、テレビジョン放送のデジタル化が推進されている。例えば、日本国内においては、ＢＳ（Broadcasting satellite）デジタル放送、及び１１０度ＣＳ（Communication satellite）デジタル放送等の衛星デジタル放送のみならず、地上デジタル放送も介されている。
【０００３】
そこで、近年の放送受信装置では、上述した複数種類の放送方式の信号を受信できるように、各方式に対応したチューナを内蔵する傾向にある。これにより、ユーザは、所望の放送方式の所望のチャンネル及び番組を視聴することが可能となった。
【０００４】
ところで、デジタル放送では、放送受信装置に対して１週間分の番組情報を提供している。そこで、放送受信装置は、記憶手段に提供された番組情報を記憶することで、当該番組情報に基づく番組表の表示が可能となった。また、番組表に示された番組情報を選択することで、番組の閲覧や、番組の予約を行うことができる。
【０００５】
さらには、放送受信装置では、リモートコントローラ等の操作により、番組表、予約番組の一覧画面、及び録画番組の一覧画面といった画面間の切替表示が可能となった。そして、これら画面を表示する際に、いずれの番組情報を選択された状態で表示するのが適切かという問題が生じる。
【０００６】
例えば、特許文献１に記載された技術では、現在時刻に最も近い時間帯の番組が選択された状態で、番組表や予約番組一覧を表示する技術が提案されている。これにより、番組表や予約番組一覧で選択されている番組が明確になるので、操作性が向上している。
【先行技術文献】
【特許文献】
【０００７】
【特許文献１】特開２００７−２６７０９３号公報
【発明の概要】
【発明が解決しようとする課題】
【０００８】
しかしながら、番組表から予約番組一覧に切り替える際、例えば、番組表において、よく視聴している時間帯の番組を選択した状態で、予約番組一覧に移動すると、現在時刻に近い時間帯の番組が選択された状態で表示される。この場合、ユーザはよく視聴している時間帯で設定された予約番組まで移動操作を行う必要がある。
【０００９】
本発明は、上記に鑑みてなされたものであって、操作負担を抑止する表示装置、及び表示方法を提供することを目的とする。
【課題を解決するための手段】
【００１０】
上述した課題を解決し、目的を達成するために、本発明にかかる表示装置は、録画又は視聴を予約した予約番組情報と、当該予約番組情報の放送時間と、を対応付けて記憶する予約記憶手段と、放送時間毎に番組情報が示された番組表情報を表示する表示手段と、表示された前記番組表情報に示された番組情報の選択を受け付ける受付手段と、選択を受け付けた前記番組情報の放送時間と近い前記放送時間と対応付けられた前記予約番組情報を、前記予約記憶手段から特定する特定手段と、を備え、前記表示手段は、さらに、特定された前記予約番組情報が選択された状態で、前記予約記憶手段に記憶された前記予約番組情報を一覧表示すること、を特徴とする。
【００１１】
また、本発明にかかる表示方法は、表示装置で実行される表示方法であって、表示装置は、録画又は視聴を予約した予約番組情報と、当該予約番組情報の放送時間と、を対応付けて記憶する予約記憶手段を備え、表示手段が、放送時間毎に番組情報が示された番組表情報を表示する表示ステップと、受付手段が、表示された前記番組表情報に示された番組情報の選択を受け付ける受付ステップと、特定手段が、選択を受け付けた前記番組情報の放送時間と近い前記放送時間と対応付けられた前記予約番組情報を、前記予約記憶手段から特定する特定ステップと、前記表示手段が、特定された前記予約番組情報が選択された状態で、前記予約記憶手段に記憶された前記予約番組情報を一覧表示する一覧表示ステップと、を含むことを特徴とする。
【発明の効果】
【００１２】
本発明によれば、予約番組情報を一覧表示する際の操作性を向上させるという効果を奏する。
【図面の簡単な説明】
【００１３】
【図１】図１は、第１の実施の形態で説明するデジタルテレビジョン放送表示装置１００の正面側の外観を示す図である。
【図２】図２は、リモートコントローラの外観を示す図である。
【図３】図３は、デジタルテレビジョン放送表示装置の主要な信号処理系を示すブロック図である。
【図４】図４は、第１の実施の形態にかかるデジタルテレビジョン放送表示装置で番組情報を検索するためのソフトウェア構成を示すブロック図である。
【図５】図５は、表示部が表示する番組表の画面例を示す図である。
【図６】図６は、第１の実施の形態において、表示部が表示する予約番組情報の一覧画面を示す図である。
【図７】図７は、第１の実施の形態において、表示部が表示する予約番組情報の一覧画面を示す図である。
【図８】図８は、図６に示された一覧画面で予約番組情報が選択された状態で、表示部が録画番組情報の一覧を表示した場合の画面例を示す図である。
【図９】図９は、本実施の形態にかかるデジタルテレビジョン放送表示装置における、画面遷移に従って行われる処理の手順を示すフローチャートである。
【図１０】図１０は、第２の実施の形態にかかるデジタルテレビジョン放送表示装置で番組情報を検索するためのソフトウェア構成を示すブロック図である。
【図１１】図１１は、第２の実施の形態において、表示部４０１が、表示する予約番組情報の一覧画面を示す図である。
【発明を実施するための形態】
【００１４】
以下に添付図面を参照して、この発明にかかる表示装置、及び表示方法の最良な実施の形態を詳細に説明する。以下に示す実施の形態では、表示装置を、デジタルテレビジョン放送表示装置に適用した例について説明する。なお、表示装置は、デジタルテレビジョン放送表示装置に制限するものではなく、例えば、番組録画装置など様々な装置に適用できる。
【００１５】
（第１の実施の形態）
図１は、第１の実施の形態で説明するデジタルテレビジョン放送表示装置１００の正面側の外観を示す図である。
【００１６】
図１に示すように、デジタルテレビジョン放送表示装置１００は、主として、装置本体となるほぼ四角形状に形成された薄型のキャビネット１１と、当該キャビネット１１を起立させて支持するスタンド１２と、から構成されている。
【００１７】
キャビネット１１は、平面型の液晶表示パネル１３と、右側スピーカ１４ａと、左側スピーカ１４ｂと、状態表示部１５と、リモートコントローラから送信される操作情報を受信する受光部１６と、を備えている。状態表示部１５は、電源の有無などをＬＣＤによる発光で表示する。
【００１８】
図２には、リモートコントローラ２００の外観を示す図である。図２に示すリモートコントローラ２００は、主として、電源キー２０１、入力切換キー２０２、衛星デジタル放送チャンネルのダイレクト選局キー２０３、地上波放送チャンネルのダイレクト選局キー２１８、カーソルキー２０４、決定キー２０５、番組表キー２０６、ページ切換キー２０７、ナビゲーションキー２０８、戻るキー２０９、終了キー２１０、青，赤，緑，黄のカラーキー２１１、地デジー地アナ切替キー２１２、ＢＳ−ＣＳ切替キー２１３、二画面表示切替キー２１４、チャンネルアップダウンキー２１５、音量調整キー２１６、発光部２１７等を備えている。
【００１９】
そして、当該リモートコントローラ２００の発光部２１７から送信される操作情報を、デジタルテレビジョン放送表示装置１００の受光部１６が受光することで、デジタルテレビジョン放送表示装置１００に対して様々な操作を行うことができる。例えば、番組表の表示や、番組表から予約番組一覧への表示の切替などのさまざまな操作を行うことができる。
【００２０】
続いて、デジタルテレビジョン放送表示装置１００のハードウェア構成について説明する。図３は、デジタルテレビジョン放送表示装置１００の主要な信号処理系を示すブロック図である。
【００２１】
ＢＳ／ＣＳデジタル放送受信用のアンテナ３０１で受信した衛星デジタルテレビジョン放送信号は、入力端子３１０を介して衛星デジタル放送用のチューナ３０２に供給される。
【００２２】
チューナ３０２は、制御部３１９からの制御信号により所望のチャネルの放送信号を選局し、この選局された放送信号をＰＳＫ（Phase Shift Keying）復調器３０３に出力する。
【００２３】
ＰＳＫ復調器３０３は、制御部３１９からの制御信号により、チューナ３０２で選局された放送信号を復調し、所望の番組を含んだトランスポートストリーム（ＴＳ）を得て、ＴＳ復号器３０４に出力する。
【００２４】
ＴＳ復号器３０４は、制御部３１９からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部３０９内のＳＴＤバッファ（図示せず）へ出力する。また、ＴＳ復号器３０４は、デジタル放送により送られているセクション情報を信号処理部３０９内のセクション処理部（図示せず）へ出力する。
【００２５】
一方、地上波放送受信用のアンテナ３０５で受信した地上デジタルテレビジョン放送信号は、入力端子３１１を介して地上デジタル放送用のチューナ３０６に供給される。
【００２６】
チューナ３０６は、制御部３１９からの制御信号により所望のチャネルの放送信号を選局し、この選局された放送信号をＯＦＤＭ（Orthogonal Frequency Division Multiplexing）復調器３０７に出力する。
【００２７】
ＯＦＤＭ復調器３０７は、制御部３１９からの制御信号により、チューナ３０６で選局された放送信号を復調し、所望の番組を含んだトランスポートストリームを得て、ＴＳ復号器３０８に出力する。
【００２８】
ＴＳ復号器３０８は、制御部３１９からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部３０９内のＳＴＤバッファへ出力する。また、ＴＳ復号器３０８は、デジタル放送により送られているセクション情報を信号処理部３０９内のセクション処理部へ出力する。
【００２９】
ここで、上記信号処理部３０９は、テレビ視聴時には、ＴＳ復号器３０４およびＴＳ復号器３０８からそれぞれ供給されたデジタルの映像信号及び音声信号に対して、選択的に所定のデジタル信号処理を施し、グラフィック処理部３１５及び音声処理部３１２に出力している。
【００３０】
また、信号処理部３０９は、コンテンツ再生時には、制御部３１９から入力されたコンテンツの再生信号を選択し、所定のデジタル信号処理を実施し、グラフィック処理部３１５及び音声処理部３１２に出力している。
【００３１】
制御部３１９には、信号処理部３０９から、番組を取得するための各種データや電子番組ガイド（ＥＰＧ）情報，番組属性情報（番組ジャンル等），映像、音声、字幕情報等（サービス情報、ＳＩ(Service Information)）が入力されている。そして、入力された電子番組ガイド（ＥＰＧ）情報，番組属性情報（番組ジャンル等）は、不揮発性メモリ３３３に格納される。この不揮発性メモリに格納された情報は、番組表の表示や、番組の検索などに用いられる。
【００３２】
ＳＩの中のＥＩＴ(Event  Information  Table)には、音声ＥＳ(Elementary  Stream)及び字幕ＥＳ関連情報も含まれている。デジタルテレビジョン放送表示装置１００は、受信した番組関連情報から音声ＥＳ及び字幕ＥＳの情報を用いて検索処理を行い、その結果を表示することが可能となる。
【００３３】
制御部３１９は、これら入力された情報からＥＰＧ，字幕を表示するため画像生成処理を行い、この生成した画像情報をグラフィック処理部３１５へ出力する。
【００３４】
また、この制御部３１９は、番組録画および番組予約録画を制御する機能を有し、番組予約受付時には、液晶表示パネル１３に電子番組ガイド（ＥＰＧ）情報を表示し、リモートコントローラ２００等を介したユーザ入力により予約内容を、不揮発性メモリ３３３に設定する。そして、設定された時刻に予約番組を録画するようチューナ３０２，３０６、ＰＳＫ復調器３０３，ＯＦＤＭ復調器３０７、ＴＳ復号器３０４，３０８および信号処理部３０９を制御する。
【００３５】
セクション処理部は、ＴＳ復号器３０４（３０８）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部３１９へ出力する。
【００３６】
また、番組録画時には、制御部３１９は、ＴＳ復号器３０４およびＴＳ復号器３０８からそれぞれ供給されたデジタルの映像信号及び音声信号に対して、選択的に所定のデジタル信号処理を施した信号を、記録装置（例えば、ＨＤＤ）３２５に記録している。また、信号処理部３０９は、録画番組再生時には、制御部３１９を介して記録装置（例えば、ＨＤＤ）３２５から読み出された録画番組のデータに、所定のデジタル信号処理を施し、グラフィック処理部３１５及び音声処理部３１２に出力している。
【００３７】
グラフィック処理部３１５は、（１）信号処理部３０９内のＡＶデコーダ（図示せず）から供給されるデジタルの映像信号と、（２）ＯＳＤ（On Screen Display）信号生成部３１６で生成されるＯＳＤ信号と、（３）データ放送による画像データと、（４）制御部３１９により生成されたＥＰＧ，字幕信号とを合成して映像処理部３１７へ出力する機能を有する。また、字幕放送による字幕を表示するとき、グラフィック処理部３１５は、制御部３１９からの制御による字幕情報に基づき、映像信号上に字幕情報を重畳する処理を行う。
【００３８】
グラフィック処理部３１５から出力されたデジタルの映像信号は、映像処理部３１７に供給される。この映像処理部３１７は、入力されたデジタルの映像信号を、液晶表示パネル１３で表示可能なアナログ映像信号に変換した後、液晶表示パネル１３に出力して映像表示させる。また、出力端子３２６を介して外部の表示装置（図示せず）に、当該表示装置で表示可能なフォーマットの映像信号を出力して映像表示させることもできる。
【００３９】
また、上記音声処理部３１２は、入力されたデジタルの音声信号を、スピーカ３１３で再生可能なアナログ音声信号に変換した後、スピーカ３１３に出力して音声を再生させる。また、出力端子３１４を介して外部の音声出力装置（図示せず）に、当該音声出力装置で再生可能なフォーマットの音声信号を出力して音声再生させることもできる。
【００４０】
ここで、このデジタルテレビジョン放送表示装置１００は、上記した各種の受信動作を含むその全ての動作を制御部３１９によって統括的に制御されている。この制御部３１９は、ＣＰＵ（Central  Processing  Unit）等を内蔵しており、リモートコントローラ２００等から送出された操作情報を、受光部１６を介して受信し、その操作内容（例えば、チャネル切換操作など）が反映されるように各部をそれぞれ制御している。
【００４１】
この場合、制御部３１９は、主として、そのＣＰＵが実行する制御プログラムを格納したＲＯＭ（Read  Only  Memory）３３１と、当該ＣＰＵに作業エリアを提供するＲＡＭ（Random  Access  Memory）３３２と、各種の設定情報、制御情報及び番組情報等が格納されるフラッシュメモリなどの不揮発性メモリ３３３とを利用している。なお、制御プログラムには、番組情報を検索する番組情報検索プログラムも含まれている。
【００４２】
また、上記制御部３１９は、カード  Ｉ／Ｆ３２２を介してカードホルダー３２３に接続されている。これにより、制御部３１９は、カードホルダー３２３に接続された各種メモリカード３２４と、カード  Ｉ／Ｆ３２２を介して情報伝送することができる。
【００４３】
ここで、番組情報を取得する手法について述べる。現在、デジタルテレビジョン放送受像器やデジタルテレビジョン放送録画装置等のデジタルテレビジョン放送受信装置の多くは、電子番組ガイド（EPG:Electronic Program Guide）の機能を備えている。このＥＰＧ機能のために、デジタルテレビジョン放送受信装置は、デジタルテレビジョン放送信号に含まれるイベント情報テーブル(EIT:Event Information Table)から、１週間分の番組情報（この番組情報には、番組の開始時間、継続時間、番組のジャンル、音声言語、字幕言語等の情報が含まれる）を取得する。
【００４４】
ＢＳ放送や１１０度ＣＳ放送ではいずれかのチャネルを選局することで全チャンネル分の番組情報を取得することができる。地上デジタル放送ではチャンネル毎の番組情報の取得となるため、全チャンネル分の番組情報を取得するには一旦全チャンネルを選局する必要がある。そのため、１個のチューナのみの受信装置においてはユーザが手動で全チャンネルの選局操作を行ったり、ユーザが番組を視聴していない期間に自動で全チャンネル選局を行ったりする必要がある。複数のチューナをもつ受信装置では、ユーザの番組視聴に使われていないチューナを利用して全チャンネルの選局を行い番組情報を取得することが可能である。なお、１週間分の番組情報を記憶するのに必要なメモリサイズは約３Ｍｂｙｔｅｓとなる。
【００４５】
そして、取得した番組情報は、不揮発性メモリ３３３に格納される。その際に、番組の属性情報である、番組の開始時間、継続時間、番組のジャンル、音声言語、字幕言語等も格納される。
【００４６】
そして、本実施の形態にかかるデジタルテレビジョン放送表示装置１００では、不揮発性メモリ３３３に、上述した番組情報を番組表情報として記憶する。また、不揮発性メモリ３３３は、番組表情報以外に、予約した番組の情報と、録画した番組の情報なども記憶している。
【００４７】
図４は、デジタルテレビジョン放送表示装置１００で番組情報を検索するためのソフトウェア構成（番組情報検索プログラム）を示すブロック図である。図４に示すように、デジタルテレビジョン放送表示装置１００では、不揮発性メモリ３３３に記憶された情報を用いて番組表示プログラム４００が様々な表示処理を行う。
【００４８】
つまり、従来のデジタルテレビジョン放送表示装置では、番組表から、予約番組情報の一覧画面を呼び出す際に，予約された番組情報が時間軸に沿って上から下に配置されると共に、常に一番上の番組情報が選択されていた。本実施の形態にかかるデジタルテレビジョン放送表示装置１００では、番組表でカーソルのある時間帯に近い、予約番組情報が選択された状態で、予約番組情報の一覧画面を表示する。これにより、仮に、番組表でカーソルのある時間帯に予約が無い場合でも、直近の予約番組が選択された（ハイライトして）状態で表示できる。
【００４９】
不揮発性メモリ３３３は、番組情報記憶部４５１と、録画番組情報記憶部４５２と、予約番組情報記憶部４５３とを備える。
【００５０】
番組情報記憶部４５１は、上述した１週間分の番組情報を記憶している。つまり１週間分の番組の放送種別、チャンネル、開始時刻、継続時刻及び当該番組に関するメタ情報を対応付けて記憶している。
【００５１】
録画番組情報記憶部４５２は、予約録画に従って記録装置３２５に録画された、又は放送中に録画された番組を示す情報（以下、録画番組情報と称す）と、録画した番組の放送種別、チャンネル、開始時刻、継続時刻及び番組のジャンルなどを対応付けて記憶している。
【００５２】
予約番組情報記憶部４５３は、録画又は視聴を予約した番組を示す情報（以下、予約番組情報と称す）と、番組の放送種別、チャンネル、開始時刻、継続時刻及び番組のジャンルなどを対応付けて記憶する。放送種別とは、放送電波の種別とし、例えば地上波デジタル、ＢＳ、又はＣＳ（衛星放送）であることを識別する情報とする。
【００５３】
デジタルテレビジョン放送表示装置１００は、ＡＳＩＣやＣＰＵ等の含む制御部３１９、デジタルテレビジョン放送表示装装置１００において番組の表示を行う番組表示プログラム４００が格納されたＲＯＭ３３１や当該処理装置のワーク領域となるＲＡＭ３３２等の記憶装置を備えており（何れも図示せず）、当該制御部３１９とＲＯＭ３３１に格納されたプログラムとの協働により、表示部４０１と、受付部４０２と、特定部４０３との各機能部を実現する。
【００５４】
表示部４０１は、液晶表示パネル１３に対して、情報の表示を行う。表示する情報としては、例えば、番組表や、予約番組情報の一覧や、録画番組情報の一覧などとする。番組表、予約番組情報の一覧、及び録画番組情報の一覧については後述する。
【００５５】
受付部４０２は、リモートコントローラ２００を介して行われた操作情報を受け付ける。操作情報としては、例えば、番組表における番組欄の選択、予約番組の一覧画面における予約番組情報の選択、録画番組の一覧画面における録画番組情報の選択などがある。
【００５６】
図５は、表示部４０１が、表示する番組表の画面例を示す図である。図５に示すように表示部４０１は、放送時間毎に番組情報が表された番組表を表示する。番組欄５０１は、予約録画が設定されている番組情報とする。
【００５７】
受付部４０２は、表示された番組表における番組欄の選択を、リモートコントローラ２００を介して受け付ける。本実施の形態においては、表示部４０１が番組表を表示しているときに、受付部４０２が、予約番組情報の一覧画面の表示に切り替える操作を受け付けた場合に、選択されている番組欄に応じて、次に表示される予約番組情報の一覧画面で選択されている予約番組情報を異ならせる。当該予約番組情報の特定は、特定部４０３が行う。
【００５８】
特定部４０３は、受付部４０１が番組表で選択を受け付けた番組欄の放送時間（つまり、開始時間からの継続時間までの時間）と近い放送時間と対応付けられた予約番組情報を、予約番組情報記憶部４５３から特定する。特定手法については、いずれの手法を用いても良いが、例えば、選択された番組欄の開始時間及び継続時間と、予約番組情報記憶部４５３に記憶された予約番組の開始時間及び継続時間とを、差を比較し、選択された番組欄の番組と最も放送時間が近い予約番組情報を特定する等が考えられる。
【００５９】
ところで、図５に表示された画面表で、既に予約録画が設定されている番組欄５０１が選択されていた状態で、表示部４０１が、予約番組情報の一覧画面を表示した場合、当然に番組欄５０１が指し示している予約番組が選択された状態で表示される。
【００６０】
また、従来の番組表示では、例えば、符号５０２又は符号５０３で示される番組欄が選択された状態で、予約番組情報の一覧画面に切り替えた場合に、該当する予約番組がないため、予約番組情報の一覧画面の最も上の予約番組が選択された状態で表示されていた。
【００６１】
これに対し、本実施の形態のデジタルテレビジョン放送表示装置１００においては、選択されている番組欄と最も放送時間が近い予約番組を選択した状態で表示する。例えば、受付部４０２が、番組欄５０３（１月１６日ＡＭ１１時〜ＡＭ１２時、地デジ、３チャンネル）が選択を受け付けた状態で、予約番組情報の一覧画面の切替操作を受け付ける。この場合、特定部４０３が、番組欄５０３で示された番組の放送時間と最も近い放送時間の予約番組情報を特定し、表示部４０１が、特定された予約番組情報が選択された状態で、予約番組情報記憶部４５３に記憶された予約番組情報の一覧画面を表示する。
【００６２】
図６は、図５の番組欄５０２が選択された状態で切り替えられた場合に、表示部４０１が、表示する予約番組情報の一覧画面を示す図である。図６に示すように表示部４０１は、予約番組情報を、放送時間による時系列順に一覧表示を行う。本実施の形態では、時系列順で表示されるため、録画番組情報間の時間関係を容易に把握することができる。
【００６３】
図６に示すように、表示部４０１は、符号６０１が示す予約番組情報が選択された状態で表示する。これら一覧画面の予約番組情報のうち、図５の番組欄５０３（１月１６日ＡＭ１１時〜ＡＭ１２時、地デジ、３チャンネル）に最も近い予約番組情報６０１が選択されていることが確認できる。なお、予約番組情報（１月１６日ＡＭ１０時〜ＡＭ１１時、ＢＳ、１５１チャンネル）に示されるように、番組表で選択されていた番組欄の番組と、放送種別及びチャンネルが異なっていても良いものとする。
【００６４】
他の例としては、図５の番組欄５０３が選択されている場合でも、表示部４０１は、図６の予約番組情報６０１が選択されている状態で一覧表示を行うものとする。
【００６５】
本実施の形態にかかるデジタルテレビジョン放送表示装置１００では、リモートコントローラ２００からの操作により、予約番組情報の一覧画面から、他の画面に切り替えることもできる。その際、本実施の形態にかかるデジタルテレビジョン放送表示装置１００では、予約番組情報の一覧画面で選択されていた予約番組情報に関連する番組が選択された状態で表示される。
【００６６】
図７は、図６に示された一覧画面で予約番組情報６０１が選択された状態で、再び表示部４０１が番組表を表示した場合の画面例を示す図である。当該画面表が表示されるまでの具体的な遷移としては、図６に示された一覧画面が表示されているときに、受付部４０１が、リモートコントローラ２００の番組表キー２０６の押下を受け付けた等とする。
【００６７】
図７に示す番組表においては、図６で選択されていた予約番組情報で録画される番組を表す番組欄７０１が選択されているものとする。つまり、表示部４０１は、予約番組を一覧表示した後、当該一覧表示で選択されていた予約番組で録画される番組欄が選択された状態で、記番組表を表示する。
【００６８】
図８は、図６に示された一覧画面で予約番組情報６０１が選択された状態で、表示部４０１が録画番組情報の一覧を表示した場合の画面例を示す図である。当該画面表が表示されるまでの具体的な遷移としては、図６に示された一覧画面が表示されているときに、受付部４０１が、リモートコントローラ２００の所定のカラーキー２１１の押下を受け付けた等とする。
【００６９】
図８に示す録画番組情報の一覧画面においては、図６で選択されていた予約番組情報（例えば毎週同じ時間で録画するように設定された予約番組情報）で録画された番組を表す録画番組情報８０１が選択されているものとする。つまり、表示部４０１は、予約番組を一覧表示した後に録画番組情報の一覧を表示する際に、選択されていた予約番組に従って録画された録画番組が選択された状態で、録画番組情報記憶部４５２に記憶された録画番組情報を一覧表示する。
【００７０】
次に、本実施の形態にかかるデジタルテレビジョン放送表示装置１００における画面遷移に従って行われる処理について説明する。図９は、本実施の形態にかかるデジタルテレビジョン放送表示装置１００における上述した処理の手順を示すフローチャートである。
【００７１】
まず、表示部４０１が、番組表情報記憶部４５１に記憶された番組情報に基づいて、番組表を表示する（ステップＳ９０１）。次に、受付部４０２が、リモートコントローラ２００の操作情報に従って、表示された番組表から、番組欄の選択を受け付ける（ステップＳ９０２）。
【００７２】
そして、受付部４０２が、リモートコントローラ２００の操作情報に従って、選択された番組欄の予約を受け付けたか否かを判別する（ステップＳ９０３）。予約を受け付けたと判別した場合（ステップＳ９０３：Ｙｅｓ）、処理を終了する。
【００７３】
一方、予約の受け付けが行われなかったと判別した場合（ステップＳ９０３：Ｎｏ）、受付部４０２は、予約番組一覧表示をする旨の操作を受け付けたか否かを判別する（ステップＳ９０４）。予約番組の一覧表示する旨の操作を受け付けなかったと判別した場合（ステップＳ９０４：Ｎｏ）、再びステップＳ９０２の番組欄の選択の受け付けから処理を開始する。
【００７４】
一方、予約番組の一覧表示する旨の操作を受け付けたと判別した場合（ステップＳ９０４：Ｙｅｓ）、特定部４０３が、番組表で選択された番組欄との放送時間に近い予約番組情報を特定する（ステップＳ９０５）。
【００７５】
その後、表示部４０１が、特定部４０３により特定された予約番組情報が選択された状態で、予約番組情報の一覧を表示する（ステップＳ９０６）。
【００７６】
そして、受付部４０２が、一覧から予約番組情報の選択を受け付ける（ステップＳ９０７）。その後、受付部４０２が、番組表表示の選択を受け付けたか否かを判別する（ステップＳ９０８）。番組表表示の選択を受け付けたと判別した場合（ステップＳ９０８：Ｙｅｓ）、表示部４０１が、選択された予約番組情報で録画される番組を示す番組欄が選択された状態で、番組表を表示する（ステップＳ９０９）。その後、ステップＳ９０２から処理を継続する。
【００７７】
一方、受付部４０２が、番組表表示の選択を受け付けなかったと判別した場合（ステップＳ９０８：Ｎｏ）、録画番組を一覧表示する旨の操作を受け付けたか否かを判別する（ステップＳ９１０）。受け付けなかったと判別した場合（ステップＳ９１０：Ｎｏ）、ステップＳ９０７から処理を継続する。
【００７８】
一方、受付部４０２が、録画番組を一覧表示する旨の操作を受け付けたと判別した場合（ステップＳ９１０：Ｙｅｓ）、表示部４０１は、選択された予約番組情報で録画された録画番組情報が選択された状態で、録画番組情報の一覧を表示する（ステップＳ９１１）。
【００７９】
上述した処理手順により、番組表で選択された番組欄と放送時間が近い予約番組情報が選択された状態で、予約番組情報の一覧が表示される。つまり、ユーザが興味のある時間帯の予約番組情報が選択されている状態で表示されるため、予約番組情報の一覧を容易に把握できると共に、操作性が向上する。
【００８０】
さらに、本実施の形態にかかるデジタルテレビジョン放送表示装置１００では、予約番組の一覧表示から、番組表や録画番組情報の一覧などに移動する際に、前画面で選択された番組情報に基づいて、次画面で適切な番組情報が選択された状態で表示されるため、操作性が向上する。
【００８１】
従来のデジタルテレビジョン放送表示装置でも、表示されている番組表で、予約録画が設定されている番組が選択されていれば、予約番組情報の一覧に移動した際に、番組表で選択された番組欄が指し示す予約番組情報が選択された状態で、一覧表示を行っていた。つまり、当該予約番組情報が選択された状態で表示したい場合には、当該予約番組情報を表す番組欄を選択する必要があった。これに対し、第１の実施の形態のデジタルテレビジョン放送表示装置１００では、当該所望する予約番組情報の番組欄を選択しなくとも、時間帯が近い番組が選択されていれば、予約番組情報の一覧表示で、当該所望する予約番組情報が選択された状態で表示できる。これにより、操作負担を軽減し、操作性を向上させることができる。
【００８２】
（第２の実施の形態）
第１の実施の形態にかかるデジタルテレビジョン放送表示装置１００では、番組表で選択された番組欄と放送時間が近い予約番組情報を、放送種別にかかわらず、選択対象として特定していた。そこで、第２の実施の形態では、放送種別毎に、選択される予約番組情報を異ならせる場合について説明する。
【００８３】
図１０は、第２の実施の形態にかかるデジタルテレビジョン放送表示装置１００で番組情報を検索するためのソフトウェア構成（番組情報検索プログラム）を示すブロック図である。図１０に示すように、デジタルテレビジョン放送表示装置１００は、不揮発性メモリ３３３に記憶された情報を用いて番組表示プログラム１０００が様々な表示処理を行う。
【００８４】
番組表示プログラム１０００は、第１の実施の形態にかかる番組表示プログラム４００とは、特定部４０３と処理が異なる特定部１００１を備えている点で異なる。
【００８５】
受付部４０２が、所定の放送種別（例えば地上波デジタル、ＢＳ又はＣＳ）の番組表から、番組欄の選択を受け付け、さらに予約番組情報の一覧を表示する操作を受け付けたものとする。この場合に、特定部１００１は、表示していた番組表の放送種別の予約番組情報のうち、選択された番組欄の放送時間と近い放送時間の予約番組情報を、予約番組情報記憶部４５３から特定する。そして、表示部４０１は、特定された予約番組情報が選択された状態で、予約番組情報の一覧を表示する。
【００８６】
例えば、図５に示す番組欄５０２又は番組欄５０３が選択された状態で、受付部４０２が、予約番組情報の一覧の表示の選択を受け付けた場合に、特定部１００１は、地デジ放送であって、これら放送時間帯に近い予約番組情報を特定する。
【００８７】
図１１は、図５の番組欄５０２又は番組欄５０３が選択された状態で切り替えられた場合に、表示部４０１が、表示する予約番組情報の一覧画面を示す図である。図１１に示すように表示部４０１は、地デジ放送であって、図５の番組欄５０２又は番組欄５０３と放送時間が近い予約番組情報１１０１が選択された状態で、予約番組情報を一覧表示する。
【００８８】
本実施の形態にかかるデジタルテレビジョン放送表示装置１００では、放送種別別に放送時間の近い予約番組情報を特定したが、放送種別毎に制限するものではなく、チャンネルの違いなどを考慮して、選択される予約番組情報を特定しても良い。
【００８９】
本実施の形態におけるデジタルテレビジョン放送表示装置１００においても、第１の実施の形態と同様の効果を得ることができる。
【００９０】
なお、上述した実施の形態のデジタルテレビジョン放送表示装置で実行される番組表示プログラムは、ＲＯＭ等に予め組み込まれて提供される。
【００９１】
上述した実施の形態のデジタルテレビジョン放送表示装置で実行される番組表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９２】
さらに、上述した実施の形態のデジタルテレビジョン放送表示装置で実行される番組表示プログラムを、インターネット等のネットワークに接続されたコンピュータ上に格納し、ネットワーク経由でダウンロードさせることにより提供するように構成しても良い。また、上述した実施の形態のデジタルテレビジョン放送表示装置で実行される番組表示プログラムをインターネット等のネットワーク経由で提供または配布するように構成しても良い。
【００９３】
本実施の形態のデジタルテレビジョン放送表示装置で実行される番組表示プログラムは、上述した各部（表示部、受付部、特定部）を含むモジュール構成となっており、実際のハードウェアとしてはＣＰＵ（プロセッサ）が上記ＲＯＭから番組表示プログラムを読み出して実行することにより上記各部が主記憶装置上にロードされ、表示部、受付部、特定部が主記憶装置上に生成されるようになっている。
【００９４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００９５】
１００  デジタルテレビジョン放送表示装置
１１  キャビネット
１２  スタンド
１３  液晶表示パネル
１４ａ  右側スピーカ
１４ｂ  左側スピーカ
１５  状態表示部
１６  受光部
４０１  表示部
４０２  受付部
４０３  特定部
【図１】
2010200157.tif 000003
【図２】
2010200157.tif 000004
【図３】
2010200157.tif 000005
【図４】
2010200157.tif 000006
【図５】
2010200157.tif 000007
【図６】
2010200157.tif 000008
【図７】
2010200157.tif 000009
【図８】
2010200157.tif 000010
【図９】
2010200157.tif 000011
【図１０】
2010200157.tif 000012
【図１１】
2010200157.tif 000013